(57)【要約】【課題】コンクリートブロックへのロック及びロック解除が簡単な操作で可能なコンクリートブロックの吊り具を提供する。【解決手段】落ちふた式Ｕ形側溝ブロック２１の吊り具１であって、中空軸２と、中空軸２の中心孔内を摺動可能で中空軸２の両端から突出する操作軸３と、操作軸３の一方の突出部の外周に配置されるとともに中空軸２の一端面と操作軸３の一端面に取り付けられた座金４とで挟持されたリング状弾性体５と、操作軸３の他方の突出部に連結ピン６で連結された一端側にカム面７ａを有するカムハンドル７とを備え、カムハンドル７を連結ピン６を中心として起立させると、カム面７ａが中空軸２の他端面を押圧し座金４と操作軸３が軸方向に変位することでリング状弾性体５は軸方向に圧縮されその外径が半径方向に拡張するものである。【選択図】図２
2009256093.tif 000002
【特許請求の範囲】
【請求項１】
中空軸と、該中空軸の中心孔内を摺動可能で該中空軸の両端から突出する操作軸と、該操作軸の一方の突出部の外周に配置されるとともに前記中空軸の一端面と前記操作軸の一端面に取り付けられた座金とで挟持されたリング状弾性体と、前記操作軸の他方の突出部に連結ピンで連結された一端側にカム面を有するカムハンドルとを備え、
該カムハンドルを前記連結ピンを中心として起立させると、前記カム面が前記中空軸の他端面を押圧し前記座金と前記操作軸が軸方向に変位することで前記リング状弾性体は軸方向に圧縮されその外径が半径方向に拡張することを特徴とするコンクリートブロックの吊り具。
【請求項２】
前記座金が前記操作軸の一端面に取り外し自在に取り付けられることを特徴とする請求項１に記載のコンクリートブロックの吊り具。
【請求項３】
前記座金がネジにより操作軸に取り付けられ、該ネジを取り外すことで前記リング状弾性体の取り外しが可能となっていることを特徴とする請求項２に記載のコンクリートブロックの吊り具。
【請求項４】
前記カムハンドル側の前記中空軸の端部外周にエンドリングが取り外し可能にねじ込まれて取り付けられていることを特徴とする請求項１に記載のコンクリートブロックの吊り具。
【請求項５】
前記中空軸の外周にシャックルが嵌め込まれ、該シャックルは前記エンドリングの側面と前記中空軸の外周に形成された段部とに当接して位置決めされていることを特徴とする請求項１に記載のコンクリートブロックの吊り具。
【請求項６】
前記リング状弾性体寄りの位置で前記中空軸の外周にフランジが一体的に取り付けられていることを特徴とする請求項１に記載のコンクリートブロックの吊り具。
【請求項７】
前記カム面から前記連結ピンの中心までの距離が、前記カムハンドルを起立させた状態から解放状態に至る間において、カムハンドルを起立させた状態における距離よりも大きい部分を有することを特徴とする請求項１記載のコンクリートブロックの吊り具。
【請求項８】
前記シャックルが中空軸を一定広幅に渡り連続面で支持する連結部を備えていることを特徴とする請求項５記載のコンクリートブロックの吊り具。
【請求項９】
前記コンクリートブロックには吊り具を装着する穴部が形成されていることを特徴とする請求項１記載のコンクリートブロックの吊り具。
【請求項１０】
前記コンクリートブロックには吊り具を装着する穴部を有するインサートが埋設されていることを特徴とする請求項１記載のコンクリートブロックの吊り具。
【請求項１１】
前記コンクリートブロックは落ちふた式Ｕ形側溝ブロックであることを特徴とする請求項１に記載のコンクリートブロックの吊り具。
【発明の詳細な説明】
【技術分野】
【０００１】
本発明は、側溝ブロック等のコンクリートブロックの吊り具に関するものである。
【背景技術】
【０００２】
従来、コンクリートブロックの吊り具としてアイボルトを使用し、予めコンクリートブロックに埋設した雌ねじを有するインサートのめねじにアイボルトのねじ部を螺合し、アイボルトの頭部にフックをかけてコンクリートブロックを吊り上げるものが知られていた（例えば、特許文献１参照）。
【特許文献１】特開平１０−６７４８５号公報
【発明の開示】
【発明が解決しようとする課題】
【０００３】
ところで、特許文献１（特開平１０−６７４８５号公報）に開示されたアイボルトを使用するものは、インサートにアイボルトを装着するとき、インサートの雌ねじにアイボルトのねじ部を螺合するので、この螺合、すなわちねじ込み作業に手間がかかるという問題があった。
またねじ込む際、砂等が噛み込み易い欠点もある。
更にまた、インサートにアイボルトを単にねじ込んでいるだけであるので、ロック機能がなく、アイボルトが簡単に回転してしまい、アイボルトがインサートから外れるおそれもあるという問題があった。
【０００４】
本発明はこのような問題点を解決するものである。
すなわち、本発明は、コンクリートブロックへのロック及びロック解除が簡単な操作で可能なコンクリートブロックの吊り具を提供することを目的とする。
【課題を解決するための手段】
【０００５】
すなわち本発明は、（１）、中空軸と、該中空軸の中心孔内を摺動可能で該中空軸の両端から突出する操作軸と、該操作軸の一方の突出部の外周に配置されるとともに前記中空軸の一端面と前記操作軸の一端面に取り付けられた座金とで挟持されたリング状弾性体と、前記操作軸の他方の突出部に連結ピンで連結された一端側にカム面を有するカムハンドルとを備え、該カムハンドルを前記連結ピンを中心として起立させると、前記カム面が前記中空軸の他端面を押圧し前記座金と前記操作軸が軸方向に変位することで前記リング状弾性体は軸方向に圧縮されその外径が半径方向に拡張するコンクリートブロックの吊り具に存する。
【０００６】
また本発明は、（２）、前記座金が前記操作軸の一端面に取り外し自在に取り付けられる上記（１）記載のコンクリートブロックの吊り具に存する。
【０００７】
また本発明は、（３）、前記座金がネジにより操作軸に取り付けられ、該ネジを取り外すことで前記リング状弾性体の取り外しが可能となっている上記（２）記載のコンクリートブロックの吊り具に存する。
【０００８】
また本発明は、（４）、前記カムハンドル側の前記中空軸の端部外周にエンドリングが取り外し可能にねじ込まれて取り付けられている上記（１）記載のコンクリートブロックの吊り具に存する。
【０００９】
また本発明は、（５）、前記中空軸の外周にシャックルが嵌め込まれ、該シャックルは前記エンドリングの側面と前記中空軸の外周に形成された段部とに当接して位置決めされている上記（１）記載のコンクリートブロックの吊り具に存する。
【００１０】
また本発明は、（６）、前記リング状弾性体寄りの位置で前記中空軸の外周にフランジが一体的に取り付けられている上記（１）記載のコンクリートブロックの吊り具に存する。
【００１１】
また本発明は、（７）、前記カム面から前記連結ピンの中心までの距離が、前記カムハンドルを起立させた状態から解放状態に至る間において、カムハンドルを起立させた状態における距離よりも大きい部分を有する上記（１）記載のコンクリートブロックの吊り具に存する。
【００１２】
また本発明は、（８）、前記シャックルが中空軸を一定広幅に渡り連続面で支持する連結部を備えている上記（５）記載のコンクリートブロックの吊り具に存する。
【００１３】
また本発明は、（９）、前記コンクリートブロックには吊り具を装着する穴部が形成されている上記（１）記載のコンクリートブロックの吊り具に存する。
【００１４】
また本発明は、（１０）、前記コンクリートブロックには吊り具を装着する穴部を有するインサートが埋設されている上記（１）記載のコンクリートブロックの吊り具に存する。
【００１５】
また本発明は、（１１）、前記コンクリートブロックは落ちふた式Ｕ形側溝ブロックである上記（１）記載のコンクリートブロックの吊り具に存する。
【００１６】
なお、本発明の目的に添ったものであれば、上記（１）〜（１１）を適宜組み合わせた構成も採用可能である。
【発明の効果】
【００１７】
請求項１記載の発明によれば、中空軸と、該中空軸の中心孔内を摺動可能で該中空軸の両端から突出する操作軸と、該操作軸の一方の突出部の外周に配置されるとともに前記中空軸の一端面と前記操作軸の一端面に取り付けられた座金とで挟持されたリング状弾性体と、前記操作軸の他方の突出部に連結ピンで連結された一端側にカム面を有するカムハンドルとを備え、該カムハンドルを前記連結ピンを中心として起立させると、前記カム面が前記中空軸の他端面を押圧し前記座金と前記操作軸が軸方向に変位することで前記リング状弾性体は軸方向に圧縮されその外径が半径方向に拡張するものであるので、前記吊り具の前記座金側をインサートの孔部内に差し込み、前記カムハンドルを起立させるだけで、前記吊り具をインサートの孔部内に固定すなわちロックすることができる。
また、前記カムハンドルを元に戻すだけで、前記吊り具のインサートの孔部内への固定の解除すなわちロック解除ができる。
このように、前記吊り具は従来のアイボルトを使用するものに比して、装着の操作が簡単で、しかも、ロック機能を有する。
【００１８】
請求項２記載の発明によれば前記座金が前記操作軸の一端面に取り外し自在に取り付けられることにより、前記リング状弾性体の取り外しが可能となり、劣化したリング状弾性体の交換が容易にできる。
そして、劣化したリング状弾性体を交換することにより、繰り返し使用可能である。
【００１９】
請求項３記載の発明によれば、前記座金がネジにより操作軸に取り付けられ、該ネジを取り外すことで前記リング状弾性体の取り外しが可能となっているので、座金の取り外しが簡単な構造で可能となる。
【００２０】
請求項４記載の発明によれば、前記カムハンドル側の前記中空軸の端部外周にエンドリングが取り外し可能にねじ込まれて取り付けられているものであるので、前記エンドリングを取り外すことでシャックルを前記中空軸の外周に容易に嵌め込むことができる。
【００２１】
請求項５記載の発明によれば、前記中空軸の外周に前記シャックルが嵌め込まれ、前記シャックルは前記エンドリングの側面と前記中空軸の外周に形成された前記段部とに当接して位置決めされているものであるので、前記シャックルの位置が安定する。
【００２２】
請求項６記載の発明によれば、前記リング状弾性体寄りの位置で前記中空軸の外周にフランジが一体的に取り付けられているものであるので、前記つり具を前記コンクリートブロックに装着したとき、前記フランジの側面が側壁部の側面に当接するので、前記つり具が安定して装着できる。
【００２３】
請求項７の発明によれば、ロック後は、カムハンドルに不用意に戻る力が加わっても、リング状弾性体の復帰力がカムハンドルの回動を阻害するため、カムハンドルが容易には元の位置に戻らなくなる。
【００２４】
請求項８の発明によれば、シャックルが中空軸を一定広幅に渡り連続面で支持する連結部を備えているので、吊り上げ時に中空軸に加わる曲げ応力が分散される。
そのため、吊り上げ時に中空軸が極力変形しない。
また砂等の異物の噛み込みが防止される。
【００２５】
請求項９記載の発明によれば、前記コンクリートブロックには前記吊り具を装着する孔部が形成されているものであるので、孔部に前記吊り具を装着することで前記コンクリートブロックを吊り上げることができる。
【００２６】
請求項１０載の発明によれば、前記コンクリートブロックには吊り具を装着する孔部を有するインサートが埋設されているものであるので、インサートの孔部に前記吊り具を装着することで前記コンクリートブロックを吊り上げることができる。
【００２７】
請求項１１記載の発明によれば、前記コンクリートブロックは落ちふた式Ｕ形側溝ブロックであるので、前記落ちふた式Ｕ形側溝ブロックの孔部に前記吊り具を装着することで前記落ちふた式Ｕ形側溝ブロックを吊り上げることができる。
【発明を実施するための最良の形態】
【００２８】
（第１の実施形態）
本発明を実施するための最良の形態は、コンクリートブロックとしての落ちふた式Ｕ形側溝ブロック２１に吊り具１を装着するもので、以下、図１〜７に基づいて説明する。
【００２９】
後述するように、吊り具１を装着する落ちふた式Ｕ形側溝ブロック２１には、インサート２２が埋設されている（図５〜７参照）。
すなわち、予め型枠にインサートを取り付けておき、コンクリートを打設することでインサート２２が埋設された落ちふた式Ｕ形側溝ブロック２１が成形される。
【００３０】
図１は、本実施形態に係る落ちふた式Ｕ形側溝ブロックの吊り具の平面図である。
図２は、図１に示す落ちふた式Ｕ形側溝ブロックの吊り具の正面断面図で、（Ａ）はカムハンドルを起立させない状態を示し、（Ｂ）はカムハンドルを起立させた状態を示す。
図３は、図１に示す落ちふた式Ｕ形側溝ブロックの吊り具の右側面図である。
図４は、図１に示す落ちふた式Ｕ形側溝ブロックの吊り具の左側面図である。
これらの図に示すように、吊り具１は、中空軸２と、操作軸３と、座金４と、リング状弾性体５と、連結ピン６と、カムハンドル７と、エンドリング８と、ネジ（ここでは「なべ小ネジ」）９と、フランジ１０とを備えている。
【００３１】
中空軸２は、中心孔と外周に形成された段部２ａを有している。そして、カムハンドル７側の中空軸２の端部外周にエンドリング８が取り外し可能にねじ込まれて取り付けられている。
なお、エンドリング８は一対の工具係合面８ｂを有し、工具係合面８ｂにスパナ等の工具を係合させ、回動させることにより中空軸２の端部外周にエンドリング８が取り外し可能にねじ込まれる。
また、リング状弾性体５寄りの位置で中空軸２の外周に円板状のフランジ１０が溶接により一体的に取り付けられている。
【００３２】
操作軸３は、中空軸２の中心孔内に摺動可能に挿入されており、その両端部は中空軸２の両端から突出している。
【００３３】
リング状弾性体５は、操作軸３の一方の先端部である細径突出部の外周に配置されるとともに、中空軸２の一端面と座金４（操作軸３の一端面に取り付けられている）とで挟持されている。
なお、座金４は操作軸３の一端面になべ小ネジ９により取り付けられる。
【００３４】
カムハンドル７は、その一端側に二股部７ｂを有し、二股部７ｂの端面にはそれぞれカム面７ａを有している。
そして、二股部７ｂの間に操作軸３の他方の突出部を挿入し、この二股部７ｂと操作軸３の他方の突出部とを連結ピン６で回動可能に連結している。
【００３５】
図５〜７に示すように、使用時においては、吊り具１を構成する中空軸２の外周にシャックル１１が嵌め込まれる。
中空軸２の外周にシャックル１１を嵌め込むには、一旦、エンドリング８をスパナ等の工具を使用して、中空軸２の端部外周から取り外す。
【００３６】
そして中空軸２の外周にシャックル１１が嵌め込み、再度、中空軸２の端部外周にエンドリング８をねじ込んで取り付ける。
これでシャックル１１はエンドリング８の側面８ａと中空軸２の段部２ａとに当接して位置決めされる。
【００３７】
次に、吊り具１の落ちふた式Ｕ形側溝ブロック２１への装着について図５〜７に基づいて説明する。
【００３８】
まず、落ちふた式Ｕ形側溝ブロック２１に埋設されているインサート２２の孔部２２ａに吊り具１を座金４のある側から差し込み、フランジ１０の側面が落ちふた式Ｕ形側溝ブロック２１の側壁部２１ａの外側面に当接するまで挿入する。
【００３９】
次に、カムハンドル７を解放状態から、連結ピン６を中心として回動させ起立させると、カムハンドル７のカム面７ａが中空軸２の他端面を押圧する。
これにより、カム面から前記連結ピンの中心までの距離が大きくなり、操作軸３が軸方向（すなわち図２でいう右方向）に変位し、座金４も同様に変位する。
しかし、リング状弾性体５は、中空軸２の一端面により軸方向の変位が制限されているので、圧縮されてインサート２２の孔部２２ａ内でその外径が半径方向に拡張しようとする。
これにより、リング状弾性体５の外周面がインサート２２の孔部２２ａの内周面に密着するので、その押圧力及び摩擦力により吊り具１がインサート２２の孔部２２ａ内に固定すなわちロックされる。
【００４０】
また、吊り具１をインサート２２の孔部２２ａ内から、引き出すには、起立しているカムハンドル７の連結ピン６を中心として元の方向に回動させ、操作軸３の軸線上に位置させ解放状態にする。
これにより、リング状弾性体５が圧縮されない状態に戻り、インサート２２の孔部２２ａ内での密着力がなくなる。この状態で吊り具１のインサート２２の孔部２２ａ内での固定（すなわちロック）が解除されていることとなる。
したがって、吊り具１をインサート２２の孔部２２ａ内から容易に引き出すことができる。
【００４１】
次に、落ちふた式Ｕ形側溝ブロック２１に吊り具１を装着して吊り上げる場合について説明する。
【００４２】
図５は、落ちふた式Ｕ形側溝ブロック２１を図示しない型枠から脱枠するときの状態を示している。
図５に示すように、落ちふた式Ｕ形側溝ブロック２１にはその一対の側壁部２１ａにそれぞれインサート２２が埋設されており、インサート２２の孔部２２ａに吊り具１が装着されて前述したようにロックされている。
そして、吊り具１のシャックル１１にワイヤ３２に連結されたフック３１を掛け、上方に吊り上げることにより脱枠することができる。
この脱枠時には、落ちふた式Ｕ形側溝ブロック２１は底部が上方に位置する向きになっている。
そして、底部が上方に位置する向きのまま置き場（ヤード）まで搬送され、保管放置される。
【００４３】
図６は、落ちふた式Ｕ形側溝ブロック２１が１８０度上下反転したときの、図５と同様の説明図である。
図７は、図５における一部を拡大して示す説明図であって、（Ａ）はカムハンドルを起立させない状態を示し、（Ｂ）はカムハンドルを起立させた状態を示す。
施工に際しては、底部が上方に位置する向きのままで置き場（ヤード）に保管放置されている落ちふた式Ｕ形側溝ブロック２１を吊り上げて、図６に示すように、底部が下方に位置する向きに１８０度上下反転させる。
そして、底部が下方に位置する向きの状態で施工場所に移し施工する。
【００４４】
上述のように構成される、本発明の一実施形態に係る落ちふた式Ｕ形側溝ブロック２１の吊り具１によれば、以下のような効果を有する。
【００４５】
吊り具１の座金４側をインサート２２の孔部２２ａ内に差し込み、単にカムハンドル７を起立させるだけで、吊り具１をインサート２２の孔部２２ａ内に固定すなわちロックすることができる。
また、カムハンドル７を元に戻すだけで、吊り具１のインサート２２の孔部２２ａ内への固定の解除すなわちロック解除ができる。
このように、従来のアイボルトを使用するものに比して、ねじ込みのような回動操作は全く不必要で、いわばワンタッチで装着を簡単に行うことができ、しかも、ロック機能を確実に発揮できる。
【００４６】
リング状弾性体５を押さえる座金４を操作軸３の一端面になべ小ネジ９で取り付けているので、座金４の取り外しが容易である。
【００４７】
座金４を取り外すことでリング状弾性体５も簡単に取り外しが可能であるので、劣化したリング状弾性体５の交換が容易にできる。
そして、劣化したリング状弾性体５を交換することにより、吊り具の繰り返し使用可能である。
【００４８】
カムハンドル７側の中空軸２の端部外周にエンドリング８が取り外し可能にねじ込まれて取り付けられているので、エンドリング８を取り外すことでシャックル１１を中空軸２の外周に容易に嵌め込むことができる。
【００４９】
中空軸２の外周にシャックル１１が嵌め込まれ、シャックル１１はエンドリング８の側面と中空軸２の外周に形成された段部２ａとに当接して位置決めされているので、シャックル１１の位置が安定する。
【００５０】
リング状弾性体５寄りの位置で中空軸２の外周にフランジ１０が一体的に取り付けられているので、つり具１を落ちふた式Ｕ形側溝ブロック２１に装着したとき、フランジ１０の側面が側壁部２１ａの側面に当接するので、つり具１が安定して装着できる。
また施工時に該ブロックを上下反転する場合にも、このフランジ１０により案内されるためガタ付かない。
【００５１】
落ちふた式Ｕ形側溝ブロック２１には吊り具１を装着する穴部２２ａを有するインサート２２が埋設されているので、この穴部２２ａに吊り具１を装着することができる。
また、吊り具１は従来のめねじを有するインサートにも装着することができる。
【００５２】
なお、上述したように、本発明の一実施形態として、吊り具１をインサート２２の孔部２２ａに装着するものについて説明しているが、本発明の吊り具は、インサートを埋設していないコンクリートブロックに形成された孔部に直接に装着する場合にも当然、使用可能である。
【００５３】
また、上述したように、本発明の一実施形態として、落ちふた式Ｕ形側溝ブロック２１の吊り具１について説明しているが、本発明の吊り具は、落ちふた式Ｕ形側溝ブロック以外の比較的重量のある物に対しても、吊り具として十分使用することができる。
【００５４】
（第２の実施形態）
第２の実施形態においては、起立したカムハンドル７に何らかの力が上向きに加わっても、不用意に解放状態にならない特有の機能を備えたものである。
そのため、本実施形態の吊り具１においては、連結ピン６からカム面７ａまでの距離に工夫を加えている。
【００５５】
以下、本実施形態のコンクリートブロックの吊り具に関して説明する。
図８は、第２の実施形態に係る落ちふた式Ｕ字側溝ブロックの吊り具の平面図である。
また、図９は、図８に示す落ちふた式Ｕ字側溝ブロックの吊り具の正面断面図で、（Ａ）はカムハンドルを起立させない状態を示し、（Ｂ）カムハンドルを起立させた状態を示す。
図１０は、図９（Ｂ）の囲み部分の拡大図である。
図１１は、図８に示す落ちふた式Ｕ字側溝ブロックの吊り具の右側面図である。
図１２は、図８に示す落ちふた式Ｕ字側溝ブロックの吊り具の左側面図である。
【００５６】
図８及び図９に示すように、本実施形態の吊り具１は第１の実施形態と同様に、中空軸２と、操作軸３と、座金４と、リング状弾性体５と、連結ピン６と、カムハンドル７と、エンドリング８と、ナット９ａと、フランジ１０とを備えている。
操作軸３の先端にはネジ部３Ｎが形成されており、ここにナット９ａを螺合してリング状弾性体５を固定する。
本実施形態においては、フランジ１０は中空軸２を切削加工することにより形成されている。
【００５７】
本実施形態のカムハンドル７のカム面７ａは、カム面から連結ピン６の中心までの距離が、前記カムハンドル７を起立させた状態から解放状態に至る間において、カムハンドル７を起立させた状態における距離よりも大きい部分（距離Ｌ２）を有するという特徴がある。
図１０に示すように、カムハンドル７が起立した状態にあるときにおけるカム面７ａ（エンドリング８と接触している）から連結ピン６の中心までの距離Ｌ１に比べて、解放状態におけるカム面７ａ（エンドリング８と接触している）から連結ピン６の中心までの距離Ｌ３は小さい。
そして、起立させた状態から解放状態に至る間において、カムハンドル７を起立させた状態におけるカム面７ａから連結ピン６の中心までの距離Ｌ１よりも大きい部分（距離Ｌ２）を有する。
そして、距離Ｌ１のカム面７ａから距離Ｌ２のカム面７ａに至るまでの間、カム面７ａと連結ピンの中心までの距離は連続的に大きくなるように変化している。
カムハンドル７を上に押し上げようとすると、リング状弾性体５の復帰力に抗しながら中空軸２を移動させる必要がある。
そのため、カムハンドル７を上に押し上げる場合、距離Ｌ１のカム面より、距離Ｌ２のカム面の方がよりモーメント力を必要とすることになる。
すなわち、カム面７ａをこのような形状に設計することで、一旦、起立した状態にしたカムハンドル７を元に戻す場合（すなわち解放位置に戻す場合）は、距離Ｌ２のカム面を通り越さなければならず、そのため更に大きな力を必要とする。
従って、起立した状態が安定して維持され、作業中、不用意にカムハンドル７を元に戻そうとする力が加わっても、その回動は阻止されるのである。
【００５８】
また本実施形態の吊り具１では、第１の実施形態のシャックルとは異なる変形型のシャックル１１を備えている。
このシャックル１１は、中空軸２を一定広幅に渡り連続面で支持する連結部１１ａを備えている。
シャックル１１が、このような連結部１１ａを備えることで、吊り上げ時に中空軸２の一部に応力が集中することがなく、操作軸３に加わる曲げ応力が分散され、変形し難くなる。
また、連結部１１ａと中空軸２との間に、砂等の異物が噛み込み難い。
【００５９】
シャックル１１を中空軸２に嵌め込む際は、連結部１１ａの端部を段部２ａに当接させる。
このことにより、段部２ａはシャックル１１が一方の軸方向への移動（図面左方向）を妨げるストッパーの役割を果たす。
そして、シャックル１１の他方の軸方向（図面右方向）への移動を防止するストッパーの役割は、エンドリング８が果たす。
【００６０】
次に、吊り具１の落ちふた式Ｕ形側溝ブロック２１への装着について図１３〜図１５に基づいて説明する。
ただし、基本的な部分での装着手順は第１の実施形態と変わらない。
【００６１】
図１５は、図１２における一部を拡大して示す説明図であって、（Ａ）はカムハンドルを起立させない状態を示し、（Ｂ）はカムハンドルを起立させた状態を示す。
図に示すように、落ちふた式Ｕ形側溝ブロック２１に埋設されているインサート２２の孔部２２ａに吊り具１を座金４のある側から差し込み、フランジ１０の側面が落ちふた式Ｕ形側溝ブロック２１の側壁部２１ａの外側面に当接するまで挿入する。
【００６２】
次にカムハンドル７を回動させて起立させると、カムハンドル７のカム面７ａが中空軸２の他端面を押圧する。
これにより、座金４と操作軸３とが軸方向（すなわち図９でいう右方向）に変位する。
このときリング状弾性体５は、中空軸２の一端面により軸方向の変位が制限されているので、操作軸３に圧縮されてインサート２２の孔部２２ａ内でその外径が半径方向に拡張する。
これにより、リング状弾性体５の外周面がインサート２２の孔部２２ａの内周面に密着するので、その押圧力及び摩擦力により吊り具１がインサート２２の孔部２２ａ内に固定、すなわちロックされる。
このような作業中にカムハンドル７に何らかの力が加わったとしても、カム面７ａが上述したような形状であるため解放状態になり難い。
【００６３】
また、吊り具１をインサート２２の孔部２２ａ内から、引き出すには、起立しているカムハンドル７を、連結ピン６を中心として元の方向に回動させ、解放状態にする。
これにより、リング状弾性体５が圧縮されない状態に戻り、インサート２２の孔部２２ａ内での密着力がなくなる。
この状態はロックが解除されている状態であるので、吊り具１をインサート２２の孔部２２ａ内から容易に引き出すことができる。
【００６４】
次に、落ちふた式Ｕ形側溝ブロック２１に吊り具１を装着して吊り上げる場合について説明する。
図１３は、落ちふた式Ｕ形側溝ブロック２１を図示しない型枠から脱枠するときの状態を示している。
図１３に示すように、落ちふた式Ｕ形側溝ブロック２１にはその一対の側壁部２１ａにそれぞれインサート２２が埋設されており、インサート２２の孔部２２ａに吊り具１が装着されて前述したようにロックされている。
そして、吊り具１のシャックル１１にワイヤ３２に連結されたフック３１を掛け、上方に吊り上げることにより脱枠することができる。
この脱枠時には、落ちふた式Ｕ形側溝ブロック２１は底部が上方に位置する向きになっている。
そして、底部が上方に位置する向きのまま置き場（ヤード）まで搬送され、保管放置される。
また、シャックル１１が中空軸２を広幅に渡り連続面で支持するので、中空軸２に加わる応力が分散され、吊り上げ時に中空軸２が変形しにくい。
また砂等の異物の噛み込みが防止される。
【００６５】
図１４は、落ちふた式Ｕ形側溝ブロック２１が１８０度上下反転したときの、図１３と同様の説明図である。
施工に際しては、底部が上方に位置する向きのままで置き場（ヤード）に保管放置されている落ちふた式Ｕ形側溝ブロック２１を吊り上げて、図１３に示すように、底部が下方に位置する向きに１８０度上下反転させる。
そして、底部が下方に位置する向きの状態で施工場所に移し施工する。
【図面の簡単な説明】
【００６６】
【図１】図１は、本発明の第１の実施形態に係る落ちふた式Ｕ形側溝ブロックの吊り具の平面図である。
【図２】図２は、図１に示す落ちふた式Ｕ形側溝ブロックの吊り具の正面断面図で、（Ａ）はカムハンドルを起立させない状態を示し、（Ｂ）はカムハンドルを起立させた状態を示す。
【図３】図３は、図１に示す落ちふた式Ｕ形側溝ブロックの吊り具の右側面図である。
【図４】図４は、図１に示す落ちふた式Ｕ形側溝ブロックの吊り具の左側面図である。
【図５】図５は、図１に示す落ちふた式Ｕ形側溝ブロックの吊り具を、落ちふた式Ｕ形側溝ブロックに装着して脱枠するときの説明図である。
【図６】図６は、落ちふた式Ｕ形側溝ブロックが１８０度上下反転したときの、図５と同様の説明図である。
【図７】図７は、図５における一部を拡大して示す説明図であって、（Ａ）はカムハンドルを起立させない状態を示し、（Ｂ）はカムハンドルを起立させた状態を示す。
【図８】図８は、第２の実施形態に係る落ちふた式Ｕ形側溝ブロックの吊り具の平面図である。
【図９】図９は、図８に示す落ちふた式Ｕ形側溝ブロックの吊り具の正面断面図で、（Ａ）はカムハンドルを起立させない状態を示し、（Ｂ）はカムハンドルを起立させた状態を示す。
【図１０】図１０は、図９（Ｂ）の囲み部分の拡大図であり、（Ａ）はカムハンドルが起立状態のときを示し、（Ｂ）はカムハンドルの最も大きい部分が中空軸に接触した状態を示し、（Ｃ）はカムハンドルが解放状態のときを示す。
【図１１】図１１は、図８に示す落ちふた式Ｕ形側溝ブロックの吊り具の右側面図である。
【図１２】図１２は、図８に示す落ちふた式Ｕ形側溝ブロックの吊り具の左側面図である。
【図１３】図１３は、図８に示す落ちふた式Ｕ形側溝ブロックの吊り具を、落ちふた式Ｕ形側溝ブロックに装着して脱枠するときの説明図である。
【図１４】図１４は、落ちふた式Ｕ形側溝ブロックが１８０度上下反転したときの、図１３と同様の説明図である。
【図１５】図１５は、図１３における一部を拡大して示す説明図であって、（Ａ）はカムハンドルを起立させない状態を示し、（Ｂ）はカムハンドルを起立させた状態を示す。
【符号の説明】
【００６７】
１  吊り具
２  中空軸
２ａ  段部
３  操作軸
３Ｎ  ネジ部
４  座金
５  リング状弾性体
６  連結ピン
７  カムハンドル
７ａ  カム面
７ｂ  二股部
８  エンドリング
８ａ  側面
８ｂ  工具係合面
９  ネジ（なべ小ネジ）
９ａ  ナット
１０  フランジ
１１  シャックル
１１ａ  連結部
２１  落ちふた式Ｕ形側溝ブロック
２１ａ  側壁部
２２  インサート
２２ａ  孔部
３１  フック
３２  ワイヤ
【図１】
2009256093.tif 000003
【図２】
2009256093.tif 000004
【図３】
2009256093.tif 000005
【図４】
2009256093.tif 000006
【図５】
2009256093.tif 000007
【図６】
2009256093.tif 000008
【図７】
2009256093.tif 000009
【図８】
2009256093.tif 000010
【図９】
2009256093.tif 000011
【図１０】
2009256093.tif 000012
【図１１】
2009256093.tif 000013
【図１２】
2009256093.tif 000014
【図１３】
2009256093.tif 000015
【図１４】
2009256093.tif 000016
【図１５】
2009256093.tif 000017